(57)【要約】【課題】表示画面やヒンジを機械的に回転させることなく、端末本体の向きを変えることにより縦長・横長に画面表示が切替えられる携帯端末を提供する。【解決手段】画面表示部と平行な位置に位置検知センサーを取り付け、位置センサーの検知結果によって表示画面の向きを切替える。また、カメラ採光口と平行な位置に位置検知センサーを取り付け、位置センサーの検知結果によって撮像信号を回転させることにより常に一定の向きの出力を得る。【選択図】図１１
2005229490.tif 000002
【特許請求の範囲】
【請求項１】
操作部を有する主ユニットと、表示部を有する副ユニットと、前記主ユニットと副ユニットを一体収納、もしくは前記主ユニットと副ユニットを開閉自在に結合するヒンジで一体構造とした携帯端末において、前記副ユニットに表示部の表示画面と平行に上下方向を検知するセンサー部を設け、前記センサー部で検知した下方向を表示画面の下側となるように表示の向きを制御することを特徴とする携帯端末。
【請求項２】
操作部を有する主ユニットと、カメラ部および表示部を有する副ユニットと、前記主ユニットと副ユニットを一体収納、もしくは前記主ユニットと副ユニットを開閉自在に結合するヒンジで一体構造とした携帯端末において、前記副ユニットのカメラ部の採光口と平行に上下方向を検知するセンサー部を設け、前記センサー部で検知した下方向を撮影画像の下側となるように出力画像を制御することを特徴とする携帯端末。
【請求項３】
カメラ部および操作部を有する主ユニットと、表示部を有する副ユニットと、前記主ユニットと副ユニットを一体収納、もしくは前記主ユニットと副ユニットを開閉自在に結合するヒンジで一体構造とした携帯端末において、前記主ユニットのカメラ部の採光口と平行に上下方向を検知するセンサー部を設け、前記センサー部で検知した下方向を撮影画像の下側となるように出力画像を制御することを特徴とする携帯端末。
【請求項４】
カメラ部および操作部を有する主ユニットと、表示部を有する副ユニットと、前記主ユニットと副ユニットを一体収納、もしくは前記主ユニットと副ユニットを開閉自在に結合するヒンジで一体構造とした携帯端末において、前記主ユニットのカメラ部の採光口と平行に上下方向を検知する第１のセンサー部を設け、前記副ユニットに表示部の表示画面と平行に上下方向を検知する第２のセンサー部を設け、前記第１のセンサー部で検知した下方向を撮影画像の下側となるように出力画像を制御し、前記第２のセンサー部で検知した下方向を表示画面の下側となるように表示の向きを制御することを特徴とする携帯端末。
【請求項５】
第１および第２のセンサーは、円筒状の円周面上で直交するように４個を配置し、前記円筒状内部に収容可能で且つ前記円筒状内を移動可能な円柱状の磁性体もしくは誘電体であることを特徴とする請求項１から請求項４のいずれか１項に記載した携帯端末。
【請求項６】
第１および第２のセンサーは、正四角筒状の四辺面中央に直交するように４個を配置し、前記正四角筒状内部に収容可能で且つ前記正四角筒状内を移動可能な円柱状の磁性体もしくは誘電体であることを特徴とする請求項１から請求項４のいずれか１項に記載した携帯端末。
【発明の詳細な説明】
【技術分野】
【０００１】
本発明は、携帯端末の表示画面の制御に関するもので、特に表示画面の傾きによって表示の向きを切り替えに関する。
【背景技術】
【０００２】
携帯端末、特に携帯電話機は通話機能のみでなく、インターネット等のブラウザ機能、電子メール機能、音声・画像の記録や再生機能、デジタルカメラ機能等の様々な機能が搭載され、活用されている。特に、音声・画像の記録や再生機能やデジタルカメラ機能においては、画像の高精細度化に伴って表示画面の大型化が課題となっている。
【０００３】
そこで、端末形状を大きくすることなく表示画面の大型化に対応するための代表例として、特許文献１が提案されている。
【０００４】
特許文献１では、文字が読み易く且つ入力も容易な「通信機器の表示システム」を開示している。この特許文献１では、縦長の液晶表示部を有する通信機器の表示システムに、通信機器のユニットとして、液晶表示部を縦長から横長に、又はこの逆に回転させる表示ユニット部と、この表示ユニット部の回転に伴って縦長から横長に、又はこの逆に液晶表示部の表示を切換る表示切換部とを備えた構成となっており、文字が読み易く且つ入力も容易にするために、表示画面（表示ユニット）を回転することにより、表示画面を縦長から横長に表示変換するようにした技術が開示されている。
【特許文献１】特開２００１−１５６８９３号公報
【発明の開示】
【発明が解決しようとする課題】
【０００５】
しかしながら、前記従来の構成では表示部を機械的に回転させるために、回転部の磨耗による短命化や、表示部を横長にした状態での外圧による破損が課題となる。
【０００６】
また、表示部を回転させるには一方の手で本体を固定し、他方の手で回転の動作を実行する必要があるために、片手に障害のあるユーザにとっては操作が困難である。
【課題を解決するための手段】
【０００７】
前記従来の課題を解決するために、第１の発明の携帯端末、特に折り畳み型携帯電話機は、操作部を有する主ユニットと、表示部を有する副ユニットと、前記主ユニットと副ユニットを開閉自在に結合させるヒンジで構成し、前記表示部の表示画面と平行に上下方向を検知するセンサー部を設け、前記センサー部で検知した下方向を表示画面の下側となるように表示の向きを制御するものである。本構成によって、表示部の傾きによって任意の四方から表示画面が視聴できる。
【０００８】
第２の発明の携帯端末、特に折り畳み型携帯電話機は、操作部を有する主ユニットと、カメラ部および表示部を有する副ユニットと、前記主ユニットと副ユニットを開閉自在に結合させるヒンジで構成し、前記カメラ部の採光口と平行に上下方向を検知するセンサー部を設け、前記センサー部で検知した下方向を撮影画像の下側となるように出力画像を制御するものである。本構成によって、カメラ部の採光口の向きに関わらず撮影画像の出力を被写体の向きに合わせて出力できる。
【０００９】
第３の発明の携帯端末、特に折り畳み型携帯電話機は、カメラ部および操作部を有する主ユニットと、表示部を有する副ユニットと、前記主ユニットと副ユニットを開閉自在に結合させるヒンジで構成し、前記カメラ部の採光口と平行に上下方向を検知するセンサー部を設け、前記センサー部で検知した下方向を撮影画像の下側となるように出力画像を制御するものである。本構成によって、カメラ部の採光口の向きに関わらず撮影画像の出力を被写体の向きに合わせて出力できる。
【００１０】
第４の発明の携帯端末、特に折り畳み型携帯電話機は、カメラ部および操作部を有する主ユニットと、表示部を有する副ユニットと、前記主ユニットと副ユニットを開閉自在に結合させるヒンジで構成し、前記カメラ部の採光口と平行に上下方向を検知する第１のセンサー部と、前記表示部の表示画面と平行に上下方向を検知する第２のセンサー部を各々設け、前記第１のセンサー部で検知した下方向を撮影画像の下側となるように出力画像を制御するとともに前記第２のセンサー部で検知した下方向を表示画面の下側となるように表示の向きを制御するものである。本構成によって、カメラ部の採光口の向きに関わらず撮影画像の出力を被写体の向きに合わせて出力でき、表示部の傾きによって任意の四方から表示画面が視聴できる。
【発明の効果】
【００１１】
本発明の折り畳み型携帯電話機によれば、表示部を任意の方向に向けて傾けることにより、表示画面の四方から表示画面を視聴できる。また、カメラ撮影においては、撮影環境に応じたアングルで撮影が可能で、カメラ部の採光口の向きに関わらず撮影画像の出力を被写体の向きに合わせて出力できる。また、表示画面の切り替えは電話機本体の向きを変え、傾けるだけで簡単に実現できるために、片手での操作が実現できる。
【発明を実施するための最良の形態】
【００１２】
以下本発明の実施の形態について、図面を参照しながら説明する。
【００１３】
（実施の形態１）
図１は、本発明の実施の形態１における携帯端末で、特に折り畳み型携帯電話機の概観図を示したものである。
【００１４】
図１において、１は主ユニット、２は副ユニット、３は主ユニット１と副ユニット２を結合するヒンジである。主ユニット１の外装には操作部１１、マイクロホン１２、が取り付けられている。副ユニット２の外装には表示部２１、スピーカ２２、表示部２１の表示画面と平行にセンサー５、が取り付けられている。センサー５は表示部２１の表示画面の向きと傾きを検知し、表示画面の向きに合わせて表示画像の出力を制御するものである。
【００１５】
実施の形態１における機能ブロックを図７に示す。主ユニット１はアンテナ１０１、ＲＦ回路１０２、変復調回路１０３、ベースバンド修理回路１０４、コーデック回路１０５、表示画像制御部１０、操作部１１、マイクロホン１２で構成されている。副ユニット２は表示部２１、センサー５、スピーカ２２で構成されている。
【００１６】
本発明に関わる主な機能はセンサー５と表示画像制御部１０である。センサー５は図５もしくは図６に示すように構成されており、表示部２１の向きと傾きを検知し、センサー位置情報検知回路１０６によって位置を確定し、表示制御回路１０８によって表示部２１の表示画像の向きを切替えるもので、図１１に示すように表示部の向きによって同図（ａ）、（ｂ）、（ｃ）、（ｄ）の４つの方向に表示を切替えるものである。
【００１７】
（実施の形態２）
図２は、本発明の実施の形態２における携帯端末で、特に折り畳み型携帯電話機の概観図を示したものである。
【００１８】
図２において、１は主ユニット、２は副ユニット、３は主ユニット１と副ユニット２を結合するヒンジである。主ユニット１の外装には操作部１１、マイクロホン１２、が取り付けられている。副ユニット２の外装にはカメラ４、表示部２１、スピーカ２２、カメラ４の採光口と平行にセンサー５、が取り付けられている。センサー５はカメラ４の採光口の向きを検知し、カメラ４の向きに合わせて表示画像の出力を制御するものである。
【００１９】
実施の形態２における機能ブロックを図８に示す。主ユニット１はアンテナ１０１、ＲＦ回路１０２、変復調回路１０３、ベースバンド修理回路１０４、コーデック回路１０５、表示画像制御部１０、操作部１１、マイクロホン１２で構成されている。副ユニット２は表示部２１、センサー５、スピーカ２２で構成されている。
【００２０】
本発明に関わる主な機能はセンサー５と表示画像制御部１０である。センサー５は図５もしくは図６に示すように構成されており、カメラ４および表示部２１の向きを検知しセンサー位置情報検知回路１０６によって位置を確定し、画像処理回路１０７によってカメラ４の向きに関わらず所定の方向で表示制御回路１０８に出力する。表示制御回路１０８はセンサー位置情報検知回路１０６によって確定した方向に表示部２１の表示画像の向きを切替えるもので、図１２に示すように表示部の向きによって同図（ａ）、（ｂ）、（ｃ）、（ｄ）の４つの方向に表示を切替えるものである。
【００２１】
（実施の形態３）
図３は、本発明の実施の形態３における携帯端末で、特に折り畳み型携帯電話機の概観図を示したものである。
【００２２】
図３において、１は主ユニット、２は副ユニット、３は主ユニット１と副ユニット２を結合するヒンジである。主ユニット１の外装には操作部１１、マイクロホン１２、が取り付けられている。副ユニット２の外装にはカメラ４、表示部２１、スピーカ２２、カメラ４の採光口と平行にセンサー５、が取り付けられている。センサー５はカメラ４の採光口の向きを検知し、カメラ４の向きに合わせて表示画像の出力を制御するものである。
【００２３】
実施の形態３における機能ブロックを図９に示す。主ユニット１はアンテナ１０１、ＲＦ回路１０２、変復調回路１０３、ベースバンド修理回路１０４、コーデック回路１０５、カメラ４、センサー５’、表示画像制御部１０、操作部１１、マイクロホン１２で構成されている。副ユニット２は表示部２１、センサー５、スピーカ２２で構成されている。
【００２４】
本発明に関わる主な機能はセンサー５’と表示画像制御部１０である。センサー５’は図５もしくは図６に示すように構成されており、カメラ４の向きを検知しセンサー位置情報検知回路１０６によって位置を確定し、画像処理回路１０７によってカメラ４の向きに関わらず所定の方向で表示部２１に出力するもので、図１３に示すように撮影する被写体の置かれた環境に影響されないようにするものである。
【００２５】
（実施の形態４）
図４は、本発明の実施の形態４における携帯端末で、特に折り畳み型携帯電話機の概観図を示したものである。
【００２６】
図４において、１は主ユニット、２は副ユニット、３は主ユニット１と副ユニット２を結合するヒンジである。主ユニット１の外装には操作部１１、マイクロホン１２、が取り付けられている。副ユニット２の外装にはカメラ４、表示部２１、スピーカ２２、カメラ４の採光口と平行にセンサー５、が取り付けられている。センサー５はカメラ４の採光口の向きを検知し、カメラ４の向きに合わせて表示画像の出力を制御するものである。
【００２７】
実施の形態４における機能ブロックを図１０に示す。主ユニット１はアンテナ１０１、ＲＦ回路１０２、変復調回路１０３、ベースバンド修理回路１０４、コーデック回路１０５、表示画像制御部１０、操作部１１、マイクロホン１２で構成されている。副ユニット２は表示部２１、センサー５、スピーカ２２で構成されている。
【００２８】
本発明に関わる主な機能はセンサー５およびセンサー５’と表示画像制御部１０である。センサー５およびセンサー５’は図５もしくは図６に示すように構成されており、カメラ４および表示部２１の向きを各々検知し、センサー位置情報検知回路１０６（ａ）およびセンサー位置情報検知回路１０６（ｂ）によって各々位置を確定し、画像処理回路１０７によってカメラ４の向きに関わらず所定の方向で表示制御回路１０８に出力する。表示制御回路１０８はセンサー位置情報検知回路１０６（ａ）によって確定した方向に表示部２１の表示画像の向きを切替えるもので、実施の形態１と実施の形態２を組み合わせたものである。
【００２９】
（実施の形態５）
図５は、本発明の実施の形態１から実施の形態４におけるセンサー５の第１の構成例である。図５において、５１は円筒体、５２は円筒体５１の内部に収容された磁性体もしくは誘電体、５３Ｕ、５３Ｄ、５３Ｒ、５３Ｌは直交する２軸に取り付けた検知素子である。
【００３０】
センサー５が水平に置かれている場合は、同図（ａ）に示すように磁性体もしくは誘電体５２は検出素子５３（Ｕ・Ｄ・Ｒ・Ｌ）とは接触していない。もし、検出素子５３Ｕ側を検出素子５３Ｄ側よりも高い方向に傾けると、同図（ｂ）に示すように磁性体もしくは誘電体５２は検出素子５３Ｄ側に移動する。これにより、検出素子５３Ｕ側が上にあることを検知するものである。
【００３１】
（実施の形態６）
図６は、本発明の実施の形態１から実施の形態４におけるセンサー５の第２の構成例である。図６において、５１は正四角筒体、５２は円筒体５１の内部に収容された磁性体もしくは誘電体、５３Ｕ、５３Ｄ、５３Ｒ、５３Ｌは直交する２軸に取り付けた検知素子である。
【００３２】
センサー５が水平に置かれている場合は、同図（ａ）に示すように磁性体もしくは誘電体５２は検出素子５３（Ｕ・Ｄ・Ｒ・Ｌ）とは接触していない。もし、検出素子５３Ｕ側を検出素子５３Ｄ側よりも高い方向に傾けると、同図（ｂ）に示すように磁性体もしくは誘電体５２は検出素子５３Ｄ側に移動する。これにより、検出素子５３Ｕ側が上にあることを検知するものである。
【産業上の利用可能性】
【００３３】
本発明にかかる画像処理方法は、折り畳み型携帯電話機に限らず、一体型携帯電話機、デジタルカメラ等の携帯端末にも有効な手段である。
【図面の簡単な説明】
【００３４】
【図１】本発明の実施の形態１における携帯端末で、特に折り畳み型携帯電話機の概観図
【図２】本発明の実施の形態２における携帯端末で、特に折り畳み型携帯電話機の概観図
【図３】本発明の実施の形態３における携帯端末で、特に折り畳み型携帯電話機の概観図
【図４】本発明の実施の形態４における携帯端末で、特に折り畳み型携帯電話機の概観図
【図５】本発明の実施の形態１から実施の形態４におけるセンサー５の第１の構成例を示す図
【図６】本発明の実施の形態１から実施の形態４におけるセンサー５の第２の構成例を示す図
【図７】実施の形態１における機能ブロック図
【図８】実施の形態２における機能ブロック図
【図９】実施の形態３における機能ブロック図
【図１０】実施の形態４における機能ブロック図
【図１１】実施の形態１における効果を示す概観図
【図１２】実施の形態２における効果を示す概観図
【図１３】実施の形態３における効果を示す概観図
【符号の説明】
【００３５】
１    主ユニット
２    副ユニット
３    ヒンジ
５    センサー
５’    センサー
１０    表示画像制御部
１１    操作部
１２    マイクロホン
２１    表示部
２２    スピーカ
１０１    アンテナ
１０２    ＲＦ回路
１０３    変復調回路
１０４    ベースバンド修理回路
１０５    コーデック回路
１０６    センサー位置情報検知回路
１０７    画像処理回路
１０８    表示制御回路
【図１】
2005229490.tif 000003
【図２】
2005229490.tif 000004
【図３】
2005229490.tif 000005
【図４】
2005229490.tif 000006
【図５】
2005229490.tif 000007
【図６】
2005229490.tif 000008
【図７】
2005229490.tif 000009
【図８】
2005229490.tif 000010
【図９】
2005229490.tif 000011
【図１０】
2005229490.tif 000012
【図１１】
2005229490.tif 000013
【図１２】
2005229490.tif 000014
【図１３】
2005229490.tif 000015